(57)【要約】  【課題】  トイレ空間の使い勝手を低下させることなく、トイレ空間の安全性にも配慮して、トイレ空間の照度を低下することが可能なトイレ空間の照明制御システムを提供することを目的とする。  【解決手段】  トイレ空間の照明制御システムであって、トイレ空間は、そのトイレ空間の天井に設置された第１発光体と、その第１発光体よりも低い位置に設置された第２発光体と、第１発光体および第２発光体の明るさを制御可能な制御装置と、を備え、制御装置は、第１発光体の明るさを低下させることでトイレ空間の照度を低下させるリラックス制御時に、第２発光体を点灯させる視覚補助制御を実行する。【選択図】  図５
2020161276.tif 000002
【特許請求の範囲】
【請求項１】
トイレ空間の照明制御システムであって、
前記トイレ空間は、該トイレ空間の天井に設置された第１発光体と、該第１発光体よりも低い位置に設置された第２発光体と、前記第１発光体および前記第２発光体の明るさを制御可能な制御装置と、を備え、
前記制御装置は、前記第１発光体の明るさを低下させることで前記トイレ空間の照度を低下させるリラックス制御時に、前記第２発光体を点灯させる視覚補助制御を実行することを特徴とするトイレ空間の照明制御システム。
【請求項２】
前記制御装置は、前記視覚補助制御において、前記リラックス制御の実行に同期して、前記第２発光体の明るさを上昇させることを特徴とする請求項１に記載のトイレ空間の照明制御システム。
【請求項３】
前記制御装置は、前記リラックス制御時の前記第１発光体の明るさが所定値以上であった場合、前記視覚補助制御を実行しないことを特徴とする請求項１または２に記載のトイレ空間の照明制御システム。
【請求項４】
前記第２発光体は、前記トイレ空間の床面から前記第１発光体までの高さ方向における中央よりも下方に設置されることを特徴とする請求項１乃至３のいずれか一項に記載のトイレ空間の照明制御システム。
【請求項５】
前記第２発光体は、前記トイレ空間に設けられた大便器が備える便座の中央よりも前方側に向けて設置されることを特徴とする請求項１乃至４のいずれか一項に記載のトイレ空間の照明制御システム。
【発明の詳細な説明】
【技術分野】
【０００１】
本発明は、トイレ空間の照明制御システムに関する。
【背景技術】
【０００２】
従来、トイレ空間の照明の照度および色温度を変更することにより、トイレ空間にいる使用者をリラックスさせる技術が知られている。例えば、特許文献１では、トイレ空間にいる使用者にストレスがあると判断された場合には、通常よりも照明の照度を低下させると共に、落ち着いた色調に変更することで、使用者がリラックスできるトイレ空間を演出している。
【先行技術文献】
【特許文献】
【０００３】
【特許文献１】特開２００５−１８８９６９号公報
【発明の概要】
【発明が解決しようとする課題】
【０００４】
しかしながら、特許文献１のように、使用者をリラックスさせるために照度を低下させると、トイレ空間が通常時よりも暗くなる。これにより、紙巻き器や、便座装置を操作するための操作装置など、使用者が手で触れる必要があるトイレ空間の設備に対する視認性が損なわれてしまい、使い勝手が低下するという課題が生じる。
また、トイレ空間の照度を低下させると、トイレ空間の設備に対する視認性が損なわれるだけでなく、トイレ空間の床に置かれた物や、トイレ空間の壁面などに対しても視認性が損なわれる。これにより、トイレ空間にて意図せずに体をぶつけてしまうおそれが高まるなど、安全性の面でも課題が生じる。
【０００５】
本発明は、このような課題を解決するものであり、トイレ空間の使い勝手を低下させることなく、トイレ空間の安全性にも配慮して、トイレ空間の照度を低下することが可能なトイレ空間の照明制御システムを提供することを目的とする。
【課題を解決するための手段】
【０００６】
上記の課題を解決するために、本発明は、トイレ空間の照明制御システムであって、トイレ空間は、そのトイレ空間の天井に設置された第１発光体と、その第１発光体よりも低い位置に設置された第２発光体と、第１発光体および第２発光体の明るさを制御可能な制御装置と、を備え、制御装置は、第１発光体の明るさを低下させることでトイレ空間の照度を低下させるリラックス制御時に、第２発光体を点灯させる視覚補助制御を実行することを特徴とする。
このように構成された本発明によれば、制御装置が、トイレ空間に設けられたセンサによる検知を起点とする自動操作または使用者による操作を起点とする手動操作に基づいて、トイレ空間の照度を低下させるリラックス制御時に、第２発光体を点灯させる視覚補助制御を実行することで、リラックス制御時にもトイレ空間の所定位置に対する視認性を担保することが可能となる。
より具体的には、トイレ空間の天井に設置された第１発光体の明るさを低下させることでトイレ空間が暗くなっている状態において、第１発光体よりも低い位置に設置された第２発光体が点灯していることにより、使用者が手で触れる必要があるトイレ空間の設備やトイレ空間の床面などに対する視認性を担保することが可能となる。
ここで、第１発光体は、連続的または段階的に明るさを変更することができるものであり、一方、第２発光体は、少なくともオンオフが制御装置によって可能であれば足りる。また、視覚補助制御を実行するタイミングは任意であり、リラックス制御を実行する前から実行するものであってもよい。
なお、本発明において「トイレ空間」とは、少なくとも１つの便器が設置された空間であり、個室ブース（個室空間）を複数備えた共有トイレ空間も含むものとする。
【０００７】
本発明において、好ましくは、制御装置は、視覚補助制御において、リラックス制御の実行に同期して第２発光体の明るさを上昇させる。
このように構成された本発明によれば、制御装置が、リラックス制御の実行に同期して第２発光体の明るさを上昇させることで、使用者が手で触れる必要があるトイレ空間の設備やトイレ空間の床面などに対する視認性をより十分に担保することができる。
ここで本発明において「リラックス制御の実行に同期して視覚補助制御を実行する」とは、リラックス制御の実行する開始のタイミングに関連させて視覚補助制御を実行することをいう。例えば、リラックス制御の実行開始と同時に視覚補助制御を実行してもよく、リラックス制御の実行開始のタイミングの前後で所定期間ずらして視覚補助制御を実行してもよい。また、リラックス制御の実行期間内における一期間において視覚補助制御を実行することもできる。
【０００８】
本発明において、好ましくは、制御装置は、リラックス制御時の第１発光体の明るさが所定値以上であった場合、視覚補助制御を実行しない。
通常のトイレ空間の使用時よりも明るさを低下させることで、使用者にリラックス効果を与えることができる。しかし、低下させる明るさが複数選択できる場合、あるいは自由に調整できる場合、トイレ空間の視認性を損ねるほど低い照度にまで、第１発光体の明るさを低下させないリラックス制御もある。このとき、第１発光体の明るさが所定値以上であるにも関わらず、視覚補助制御を実行してしまうと、使用者がリラックスできないほどの明るさを知覚してしまうことにより、使用者に対するリラックス効果を阻害してしまうおそれがある。
このように構成された本発明によれば、トイレ空間の設備やトイレ空間の床面などに対する視認性を担保する必要がある所定値よりも低い明るさにまで第１発光体の明るさを低下させるリラックス制御が実行された場合に限って視覚補助制御を実行するため、使用者に対するリラックス効果を不要に阻害することなく、トイレ空間の照度を低下することが可能となる。
【０００９】
本発明において、好ましくは、第２発光体は、トイレ空間の床面から第１発光体までの高さ方向における中央よりも下方に設置される。
このように構成された本発明によれば、リラックス制御時の第１発光体の明るさだけでは視認性を担保することが難しいトイレ空間の下方領域に存在するトイレ空間の設備やトイレ空間の床面などに対して、効果的に視認性を担保することが可能となる。
【００１０】
本発明において、好ましくは、第２発光体は、トイレ空間に設けられた大便器が備える便座の中央よりも前方側に向けて設置される。
このように構成された本発明によれば、使用者が大便器を使用する際、及び大便器を使用した後トイレ空間を退出する際に、使用者の視線が向く便座の中央よりも前方側に対して、効果的に視認性を担保することが可能となる。
【発明の効果】
【００１１】
本発明のトイレ空間の照明制御システムによれば、トイレ空間の使い勝手を低下させることなく、トイレ空間の安全性にも配慮して、トイレ空間の照度を低下することができる。
【図面の簡単な説明】
【００１２】
【図１】本発明の実施形態に係るトイレ空間の照明制御システムが設けられたトイレ空間の側面図である。
【図２】本発明の実施形態に係るトイレ空間の照明制御システムをブロック図で模式的に示した図である。
【図３】本発明の実施形態に係るトイレ空間の照明制御システムにおいて、制御装置が実行するリラックス制御の一例を示すフローチャートである。
【図４】本発明の実施形態に係るトイレ空間の照明制御システムにおいて、制御装置が実行するリラックス制御前とリラックス制御時の第１発光体及び第２発光体の明るさを示す模式図である。
【図５】本発明の実施形態に係るトイレ空間の照明制御システムにおいて、制御装置が実行するリラックス制御前とリラックス制御時の第１発光体及び第２発光体の明るさを示す模式図である。
【図６】本発明の実施形態に係るトイレ空間の照明制御システムにおいて、制御装置が実行するリラックス制御前とリラックス制御時の第１発光体及び第２発光体の明るさを示す模式図である。
【発明を実施するための形態】
【００１３】
以下で説明する実施形態は、いずれも本開示の一実施形態を示すものである。以下の実施形態で示される構成要素、構成要素の配置位置及び接続形態、ステップ、ステップの順序などはあくまで一例であり、本発明を限定するものではない。また、以下の実施形態における構成要素のうち、本開示の最上位概念を示す独立請求項に記載されていない構成要素については、任意の構成要素として説明される。また、図面において同じ符号が付いたものは、説明を省略する場合がある。
【００１４】
図１は、本発明の実施形態に係るトイレ空間の照明制御システムが設けられたトイレ空間に設置された個室空間の側面図である。
【００１５】
図１に示すように、トイレ空間の照明制御システム１は、第１発光体１００と、第２発光体２００と、制御装置３００とを有する。なお図１ではトイレ空間としてトイレの個室空間（個室ブース）を示すが、本発明のトイレ空間は個室空間に限定されない。
【００１６】
図１においては、第１発光体１００は、便座３を有する大便器４が備えられたトイレ空間１０の天井８に設置され、第２発光体２００は、第１発光体１００よりも低い位置に設置される。第１発光体１００及び第２発光体２００は、明るさを変更することが可能な照明であり、例えばLED（Light  Emitting  Diode）や蛍光灯、白熱電球、有機EL（Electro luminescence）照明等を用いることができる。特に寿命の長いLEDが好ましく、異なる照度や色温度に調光可能な単一のLEDや、異なる照度や色温度を有する複数のLEDなどを用いることが好ましい。また、第１発光体１００及び第２発光体２００は、電球形状の照明機器に限られず、パネル形状や棒形状、あるいはボタン形状等の任意の形状で構成された照明機器を用いることができる。また第１発光体として、天井面に直接設置されるシーリングライト型の他、天井から吊り下げるペンダントライト型、所定箇所を強調して照らすスポットライト型、シャンデリア型、シーリングファンに設置されるシーリングファン型、スタンドライト型、天井面に埋め込まれるダウンライト型、壁面に取り付けるブラケットライト型等、自由に選択することができる。一方、第２発光体２００は、それらがトイレ空間１０の所定位置を照らす照明機器に限られず、トイレ空間１０内に設置された機器に備えられ、自身で発光するボタンや自身で発光する表示画面であってもよい。なお、第１発光体１００及び第２発光体２００は、トイレ空間１０にそれぞれ単数設置してもよいが、複数設置してもよい。
【００１７】
第２発光体２００は、トイレ空間１０の床面９から第１発光体１００までの高さａに対して、その高さ方向における半分の高さｂで仕切られたＡ−Ａ線よりも下方に設けられることが好ましい。これによって、トイレ空間１０の天井８に設けられる第１発光体１００による光が到達し難いトイレ空間１０の下方領域に対して、効果的に第２発光体２００による光を到達させることが可能となる。つまり、トイレ空間１０のＡ−Ａ線よりも下方に設置される紙巻き器５や、便座装置の操作または第１発光体の明るさを変更するために用いられる操作装置６などの使用者が手で触れる必要があるトイレ空間１０の設備が配置される領域、及びトイレ空間１０の床面９に対して、効果的に光を到達させることが可能となる。
【００１８】
また、第２発光体２００は、トイレ空間１０に備えられた大便器４に設けられた便座３の中央であるＢ―Ｂ線よりも前方側に向けられることが好ましい。これによって、便座３に座った使用者の目線の先であるトイレ空間１０の前方領域に対して、効果的に第２発光体２００による光を到達させることが可能となる。つまり、トイレ空間１０のＢ−Ｂ線よりも前方に設置される紙巻き器５や、便座装置の操作または第１発光体の明るさを変更するために用いられる操作装置６などの使用者が手で触れる必要があるトイレ空間１０の設備が配置される領域、及び使用者が退室する際に使用者の目線の先にあるトイレ空間１０の床面９に対して、効果的に光を到達させることが可能となる。
ここで、「前方側に向けられる」とは、第２発光体２００をＢ−Ｂ線よりも後方側に設け発光面を前方側に向ける態様に限られず、第２発光体２００をＢ−Ｂ線よりも前方側に設け発光面を側方側に向ける態様であっても構わない。
【００１９】
制御装置３００は、第１発光体１００及び第２発光体２００の明るさを制御する装置である。制御装置３００は、自動操作または使用者による操作装置６に対する手動操作に基づいて制御指示を第１発光体１００に送信する。また、第１発光体１００に送信した制御指示に応じて、第２発光体２００に対する制御指示を自動で送信する。
【００２０】
図２は、本発明の実施形態に係るトイレ空間の照明制御システムをブロック図で模式的に示した図である。
【００２１】
図２に示すように制御装置３００には、第１発光体１００及び第２発光体２００の明るさを上昇もしくは低下するために予め設定された制御プログラムに従って各種演算処理を実行するCPU（Central Processing Unit）３１０と、CPU３１０で各種演算処理を実行するために必要な制御プログラムや制御データなどが予め格納されたROM（Read Only Memory）３２０と、同じくCPU３１０で各種演算処理を実行するのに必要な各種データが一時的に読み書きされるRAM（Random Access Memory）３３０と、トイレ空間１０に設けられた人体検知センサ（図示せず）や、操作装置６などからの信号を入力してCPU３１０の処理可能な信号に変換する入力処理回路３４０と、CPU３１０での演算結果に応じて第１発光体１００及び第２発光体２００に信号を出力する出力処理回路３５０と、を備えている。
【００２２】
ここで、トイレ空間１０に設けられた人体検知センサによる検知を起点とする自動操作、または操作装置６に対する使用者による操作を起点とする手動操作に基づいて、第１発光体１００の明るさを低下させることでトイレ空間１０の照度を低下させるリラックス制御３２２に関する制御プログラム、及びリラックス制御３２２が実行された際に第２発光体２００の明るさを自動で制御する視覚補助制御３２４に関する制御プログラムは、ROM３２０に格納されている。
【００２３】
図３は、本発明の実施形態に係るトイレ空間の照明制御システムにおいて、制御装置が実行するリラックス制御の一例を示すフローチャートである。以下、図３を参照しつつ、本発明の実施形態にかかるトイレ空間の照明制御システムにおける制御フローを説明する。
【００２４】
ステップＳ３０１において、トイレ空間１０に設けられた人体検知センサによって、トイレ空間１０に使用者が入室したことが検知されたとき、あるいは操作装置６に対して、第１発光体１００の明るさを低下させる操作が使用者によって行われたとき、制御装置３００はリラックス制御３２２を実行し、トイレ空間１０の照度を低下させる。
【００２５】
次に、ステップＳ３０２において、第１発光体１００の明るさが所定値以上の明るさであるか否かを判断する。ここで、第１発光体１００の明るさを判断する方法は、照度計などを用いて実際に第１発光体１００の明るさを検知する態様に限られず、使用者による操作装置６に対する操作から推測する態様であってもよい。
【００２６】
ステップＳ３０２において、第１発光体１００の明るさが所定値よりも低いと判断された場合（ステップＳ３０２、No）、ステップＳ３０３に移行し、制御装置３００は、リラックス制御３２２の実行に合わせて視覚補助制御３２４を実行する。
ここで、第１発光体１００の明るさが所定値よりも低い場合とは、リラックス制御３２２により、紙巻き器５や、便座装置の操作または第１発光体の明るさを変更するために用いられる操作装置６などの使用者が手で触れる必要があるトイレ空間１０の設備が配置される領域、及びトイレ空間１０の床面に対する視認性が担保できていないと想定される状態である。このような状態において、視覚補助制御３２４を実行し、第２発光体２００を点灯させることで、視認性を担保することが可能となる。
【００２７】
ステップＳ３０２において、第１発光体１００の明るさが所定値以上の明るさであると判断された場合（ステップＳ３０２、Ｙｅｓ）、制御装置３００は視覚補助制御３２４を実行することなくリラックス制御３２２を実行する。
ここで、第１発光体の明るさが所定値以上である場合とは、第２発光体２００を点灯させなくとも十分にトイレ空間１０の視認性を担保することができていると想定される状態である。このような状態において、視覚補助制御３２４を実行し、第２発光体２００を点灯させてしまうと、使用者がリラックスできないほどの明るさを知覚してしまうことにより、使用者に対するリラックス効果を阻害してしまうおそれがあるため、視覚補助制御３２４を実行しないことが好ましい。
【００２８】
そして、ステップＳ３０４に移行し、制御装置３００は、予め記憶された制御設定に従って、リラックス制御３２２を所定期間に亘って実行する。所定期間に亘ってリラックス制御３２２を実行した後は（ステップＳ３０４、Ｙｅｓ）、ステップＳ３０７に移行し、リラックス制御３２２を終了する。このとき、視覚補助制御３２４を実行していた場合（ステップＳ３０５、Ｙｅｓ）、視覚補助制御３２４も終了してから（ステップＳ３０６）、ステップＳ３０７に移行し、リラックス制御３２２を終了する。
【００２９】
以下、図４〜図６を参照しつつ、本発明の実施形態にかかるトイレ空間の照明制御システムにおけるリラックス制御前とリラックス制御時の第１発光体及び第２発光体の明るさを説明する。
図４は、本発明の実施形態に係るトイレ空間の照明制御システムにおいて、制御装置が実行するリラックス制御前とリラックス制御時の第１発光体及び第２発光体の明るさを示す模式図である。図５は、本発明の実施形態に係るトイレ空間の照明制御システムにおいて、制御装置が実行するリラックス制御前とリラックス制御時の第１発光体及び第２発光体の明るさを示す模式図である。図６は、本発明の実施形態に係るトイレ空間の照明制御システムにおいて、制御装置が実行するリラックス制御前とリラックス制御時の第１発光体及び第２発光体の明るさを示す模式図である。
【００３０】
図４に示すように、使用者がトイレ空間１０に設けられた第１発光体１００の電源をOFFからONにする操作行ったとき、制御装置３００は、第１発光体１００を平常時の明るさであるＥ１で点灯する。このとき、第２発光体２００は、図４に示すように、点灯させなくとも良いし、図５に示すようにＥ２の明るさで点灯させても良い。
【００３１】
その後、制御装置３００によってリラックス制御３２２が実行されると、制御装置３００は第１発光体１００の明るさを低下させ、平常時の明るさであるＥ１よりも暗い明るさであるＥ３で点灯する。このとき、Ｅ３の明るさが所定値よりも暗いと判断された場合（図３のフローチャートにおけるステップＳ３０２、No）、制御装置３００は視覚補助制御３２４を実行し、第２発光体２００を点灯させる。
【００３２】
このとき、図４に示すように、制御装置３００によってリラックス制御３２２が実行される前に第２発光体２００が点灯されていなかった場合、制御装置３００は、トイレ空間１０の視認性を担保するために、第２発光体２００の明るさを、点灯していないＥ０の明るさからＥ４の明るさに上昇させて点灯する。
【００３３】
また、図５に示すように、制御装置３００によってリラックス制御３２２が実行される前に第２発光体２００がＥ２の明るさで点灯していた場合、制御装置３００は、リラックス制御３２２を実行した後の第１発光体１００の明るさＥ３と第２発光体２００の明るさＥ２によって、トイレ空間１０の視認性を十分に担保できるか否かを判断する。このとき、第２発光体２００の明るさがＥ２で十分であると判断した場合、制御装置３００は、第２発光体２００をＥ２の明るさのまま点灯し続ける視覚補助制御３２２を実行する。一方で、第２発光体２００の明るさがＥ２では不十分であると判断した場合、制御装置３００は第２発光体２００をＥ２の明るさからＥ４の明るさに上昇させて点灯する視覚補助制御３２４を実行する。
【００３４】
また、図６に示すように、制御装置３００によってリラックス制御３２２が実行される前に第２発光体２００がＥ３の明るさで点灯していた場合、制御装置３００は、リラックス制御３２２を実行した後の第１発光体１００の明るさＥ３と第２発光体２００の明るさＥ３によって、トイレ空間１０の視認性を十分に担保できるか否かを判断する。このとき、トイレ空間１０の視認性は十分に担保できるが、使用者が知覚する明るさが大きくなりすぎることにより、第１発光体１００により使用者が得られるリラックス効果を阻害してしまうおそれがあると判断された場合、制御装置３００は第２発光体２００をＥ３の明るさからＥ２またはＥ４の明るさに低下させて点灯する視覚補助制御３２４を実行する。
【００３５】
ここで、第１発光体１００及び第２発光体２００の明るさは、トイレ空間１０に設けられた大便器４の便座３に着座した使用者の視点を模して、上面視において便座３の中央の鉛直上方向であり且つトイレ空間１０の床面９より１１００ｍｍの高さ位置から、便座３の前方に設けられたトイレ空間１０の壁面に対して、照度計の計測面を向けたときに測定される照度によって定義される。
【符号の説明】
【００３６】
１・・・トイレ空間の照明制御システム
３・・・便座
４・・・大便器
５・・・紙巻き器
６・・・操作装置
８・・・天井
９・・・床面
１０・・・トイレ空間
１００・・・第１発光体
２００・・・第２発光体
３００・・・制御装置
３１０・・・ＣＰＵ
３２０・・・ＲＯＭ
３２２・・・リラックス制御
３２４・・・視覚補助制御
３３０・・・ＲＡＭ
３４０・・・入力処理回路
３５０・・・出力処理回路
【図１】
2020161276.tif 000003
【図２】
2020161276.tif 000004
【図３】
2020161276.tif 000005
【図４】
2020161276.tif 000006
【図５】
2020161276.tif 000007
【図６】
2020161276.tif 000008